(57)【要約】【課題】装着時に指圧・温熱効果を有しかつ、使用者の体型に応じた寸法上の自由度を具えた指圧ベルトを提供する。【解決手段】弾性バンドの両側に身体装着時締結用の面ファスナーを添着し、バンドの一方の側面には指圧刺激用の複数の金属製突起を設け、バンドの他方の側面には温熱刺激用の発熱パックを設け、バンドの一方の側面には長手方向移動可能に指圧パッドを添着し、指圧パッドの一方の側面には複数の金属製突起を設け、指圧パッドの他方の側面には発熱パックと複数の帯輪を設け、これら帯輪を介して指圧パッドをバンドに装着する。【選択図】　　　図１
2004113762.tif 000002
【特許請求の範囲】
【請求項１】
弾性織物製バンドの両側には身体装着時の締結用の面ファスナーが添着されており、該バンドの一方の側面には指圧刺激用の複数の金属製突起が設けられ、該バンドの他方の側面には温熱刺激用の発熱パックが設けられた構成の指圧ベルトであって、バンドの一方の側面には長手方向に移動可能に指圧パッドが添着されており、指圧パッドの一方の側面には複数の金属製突起が設けられ、指圧パッドの他方の側面には発熱パックが設けられ、指圧パッドの他方の側面にはさらに複数の帯輪が設けられており、これらの帯輪を介して指圧パッドがバンドに装着されることを特徴とする指圧ベルト。
【請求項２】
バンドの一方の側面には長手方向に延在して第１の面ファスナーが設けられており、指圧パッドの他方の側面には第２の面ファスナーが設けられており、これらの面ファスナーを介して指圧パッドがバンドに添着されることを特徴とする請求項１に記載の指圧ベルト。
【請求項３】
バンドの一方の側面には複数の第１のボタンが長手方向に連設されており、指圧パッドの他方の側面には第２のボタンが設けられており、これらのボタンを介して指圧パッドがバンドに添着されることを特徴とする請求項１に記載の指圧ベルト。
【発明の詳細な説明】
【０００１】
【産業上の利用分野】
この発明は指圧ベルトに関するもので、特に装着時に金属製突起による指圧刺激効果および発熱パックによる温熱刺激効果が生じるように構成した指圧ベルトの改良に関するものである。
【０００２】
この明細書においてベルトなどに関して「一方の側面」とは使用者の身体に装着した際に身体に接する側を言い、「他方の側面」とはこれと反対側を言うものである。
【０００３】
【従来技術】
一般に腰に装着するベルトは弾性織物製のベルトの両側端部に各々面ファスナー（マジックテープ（登録商標））が添着されており、使用者が腰に装着する時に腹部部位と腰椎部位を圧迫作用する単純に圧迫効果だけがあるものである。
【０００４】
また弾性織物製のベルトに一定間隔で磁石、非鉄金属製および鉱物材などを挿着したものもあるが、これは磁石、非鉄金属製および鉱物材の特有の性質に応じた特有の効果を発生するものである。
【０００５】
しかしこのタイプのものはその効果には問題がある。すなわち磁石、非鉄金属製および鉱物材は皮膚面接触時に徐々に昇温する性質があり、虚弱者が長時間使用する場合には副作用が発生する。したがって長時間の使用には適していないのである。
【０００６】
このような問題点を解決して温熱作用効果を得るために、ベルト熱線を内蔵して形成したものがある。しかしこのタイプのものは構造が複雑であるばかりでなく、使用時に人体に有害な電子波が発生されるなどの問題点がある。
【０００７】
またこの出願人の先願である韓国実用新案登録第２００２−１７３７４号に開示された指圧ベルトにあっては、ベルトの腰椎および腹部指圧部に多数個の金属製突起とポケットとを形成し、ポケットに発熱パックを挿入して、指圧および温熱効果を得るように構成されている。
【０００８】
【発明が解決しようとする課題】
しかしこの先願の指圧ベルトは、一定の腰の太さの使用者だけが使用可能なものである。つまり腰椎指圧部と腹部指圧部に形成された金属製突起が固定式なので、腰が特に太かったり特に細い使用者が使用する場合には、腰椎や腹部のいずれか一方の定位置に金属製突起および発熱パックによって温熱刺激が加わるものであって、両部位に同時に対処することができないという問題点がある。したがって性別や年齢別に応じて各々異なる大きさの指圧ベルトを製造購入して使用しなければならないので、非常に煩瑣でしかも、非経済的だという問題がある。
【０００９】
かかる従来技術の実状に鑑みてこの発明の目的は、装着時に指圧・温熱効果を有しかつ、使用者の体型に応じた寸法上の自由度を具えた指圧ベルトを提供することにある。
【００１０】
【課題を解決するための手段】
このためこの発明においては、弾性織物製バンドの両側に身体装着時の締結用の面ファスナーを添着し、該バンドの一方の側面には指圧刺激用の複数の金属製突起を設け、該バンドの他方の側面には温熱刺激用の発熱パックを設けて、バンドの一方の側面には長手方向に移動可能に指圧パッドを添着し、指圧パッドの一方の側面には複数の金属製突起を設け、指圧パッドの他方の側面には発熱パックを設け、指圧パッドの他方の側面にはさらに複数の帯輪を設け、これらの帯輪を介して指圧パッドをバンドに装着することを要旨とする。
【００１１】
【実施例】
図１〜６にこの発明の第１の実施例を示す。弾性織物製バンド１０の両側端部に各々面ファスナー２０、２１が添着されており、バンド１０の一端部には腹部指圧部１１が形成されている。腹部指圧部１１の一方の側面には多数個の金属製突起３０が設けられており（図４参照）、他方の側面には発熱パック４０を挿入することのできるポケット１２とが形成されている。発熱パック４０には内容物として鉄粉、炭素粉、塩化ナトリウムなどが収容されており、これらの内容物は空気中の酸素と反応して熱を発生する。またバンド１０の一方の側面には長手方向数個所には多数個の金属製突起３１が形成されている。以上の構成は従来公知のもので、この発明はかかる構成の指圧ベルトに改良を施したものである。
【００１２】
すなわちこの発明においては、バンド１０の腰の位置に装着できるように移動式指圧パッド５０が形成されている。この移動式指圧パッド５０の一方の側面には多数個の金属製突起３２が形成され、他方の側面には発熱パック４０を挿入することのできるポケット５１が形成されている。さらに他方の側面には多数個の帯輪５２が形成されており、これらの帯輪５２を介して移動式指圧パッド５０が指圧ベルト１に長手方向移動可能に結合される。この結合状態を図２、３に示す。
【００１３】
使用に際しては、まず帯輪５２を利用して移動式指圧パッド５０を弾性織物製バンド１０に結合し、腰の部位に移動式指圧パッド５０が位置するように調節し、位置付け状態で金属製突起３２が所定の位置に正確に位置されるように固定し、腹部指圧部１１が腹部に位置されるようにしてから、バンド１０の両端部に各々形成された面ファスナー２０、２１を利用して図６に示すように一方の側面が内側になるように身体に装着する。
【００１４】
指圧ベルト１が身体に装着された状態で、腰の部位の移動式指圧パッド５０の一方の側面上の金属製突起３２が腰の部位を圧迫して指圧刺激を与える。また移動式指圧パッド５０のポケット５１に挿入された発熱パック４０が発熱して腰の部位を温熱刺激する。また腹部指圧部１１の金属製突起３０と発熱パック４０も同様腹部の指圧と温熱刺激を行う。さらにバンド１０の数個所に形成された多数個の金属製突起３１も皮膚面を指圧刺激する。
【００１５】
また、図７〜９にこの発明の第２の実施例を示す。この実施例にあっては上記した公知の構成の指圧ベルトにおいて、弾性織物製バンド１０’の一方の側面の腰の部位に多数個の雌ボタン６０を設けてある。また、バンド１０’に挿入装着される移動式指圧パッド５０’の帯輪５２’が形成されている他方の側面には２個の雄ボタン６１を設けてある。これらの雄ボタン６１はバンド１０’の一方の側面上の雌ボタン６０と結合するように形成されている。
【００１６】
使用に際しては、バンド１０’に移動式指圧パッド５０’を結合した状態で腰に装着時に、使用者の正確な腰の位置に位置されるようにバンド１０’に移動式指圧パッド５０’を調節する。その後、バンド１０’の雌ボタン６０に移動式指圧パッド５０’の雄ボタン６１を結合させて腹部指圧部１１’が腹部に位置されるようにした後、面ファスナー２０’、２１’を利用して装着する。
【００１７】
第１の実施例に比べて、ボタンの結合を介しての装着なので、移動式指圧パッド５０’の指圧ベルト１’への装着状態がより堅固となり、しかも一旦装着したらその位置がズレることがない。
【００１８】
図１０〜１２に示すのはこの発明の第３の実施例であって、上記したような公知の構成の指圧ベルトにおいて、弾性織物製バンド１０”の一方の側面の腰の部位に長い面ファスナー７０を添着してある。またバンド１０”に装着される移動式指圧パッド５０”の多数個の帯輪５２”が形成された他方の側面には面ファスナー７１が設けられていて、バンド１０”側の面ファスナー７０に結合するように構成されている。
【００１９】
使用に際しては、バンド１０”に移動式指圧パッド５０”を挿入させた状態で使用者の装着腰の位置に正確に位置されるように、移動式指圧パッド５０”の位置を定める。ついでバンド１０”の長い面ファスナー７０に移動式指圧パッド５０”の面ファスナー７１を適定な位置に結合させて腹部指圧部１１”が腹部に位置するようにする。その後バンド１０”の両側端の面ファスナー２０”、２１”を利用して装着すればよい。
【００２０】
前の実施例に比べて、装着をより簡単にしながら、装着位置のズレがなく堅固に装着できる。
【００２１】
【発明の効果】
以上記載のように、この発明の指圧ベルト１にあっては、バンド１０に対する移動式指圧パッド５０の装着位置を、図５に示すように、自由に左右に移動させることができる。したがって腰の太さが異なる使用者の場合でも、別仕様の指圧ベルト１を腰の太さに応じて購入する必要がなく、１個の指圧ベルト１で簡単かつ自由に位置を調節して、図６のように簡単に装着できるので、汎用性に秀れている。
【００２２】
加えて金属製突起による指圧刺激効果、および発熱パックによる温熱刺激効果も得られるものである。
【図面の簡単な説明】
【図１】この発明の第１の実施例の分解状態での斜視図である。
【図２】同じく結合状態での斜視図である。
【図３】同じく要部を示した拡大横断面図である。
【図４】同じくバンドの他方の側面を示す斜視図である。
【図５】同じくバンド上での指圧パッド移動調節状態を示した斜視図である。
【図６】同じく装着した状態を示す斜視図である。
【図７】この発明の第２の実施例の分解斜視図である。
【図８】同じく要部を示した拡大横断面図である。
【図９】同じく指圧パッドの移動調節状態を示した斜視図である。
【図１０】この発明の第３の実施例の分解斜視図である。
【図１１】同じく要部を示した拡大横断面図である。
【図１２】同じく指圧パッドの移動調節状態を示した斜視図である。
【符号の説明】
１、１’、１”：　指圧ベルト
１０、１０’、１０”：　弾性織物製バンド
３２：　金属製突起
４０：　発熱パック
５０、５０’、５０”：　移動式指圧パッド
５２、５２’、５２”：　帯輪
【図１】
2004113762.tif 000003
【図２】
2004113762.tif 000004
【図３】
2004113762.tif 000005
【図４】
2004113762.tif 000006
【図５】
2004113762.tif 000007
【図６】
2004113762.tif 000008
【図７】
2004113762.tif 000009
【図８】
2004113762.tif 000010
【図９】
2004113762.tif 000011
【図１０】
2004113762.tif 000012
【図１１】
2004113762.tif 000013
【図１２】
2004113762.tif 000014